(57)【要約】【課題】本発明は、スライド型電気部品にセルフリターン機構を後付け可能なスライド型電気部品のセルフリターン機構を提供すること。【解決手段】本発明のスライド型電気部品のセルフリターン機構は、スライド移動可能なスラーダー４と、このスライダー４をスライド可能に保持するケース３と、スライダー４のスライド移動に伴って信号を出力可能な回路部品（図示せず）とを有するスライド型電気部品１を備え、このスライド型電気部品１を取り付け可能なホルダー６を配設し、このホルダー６には、スライダー４のスライド方向に弾性付勢可能な弾性部材８、９が支持され、スライド型電気部品１をホルダー６に組み付けることにより、スライダー４が、弾性部材８、９に弾性付勢されて、中立のセンタ位置に自動復帰するようにした。【選択図】        図１
2004335527.tif 000002
【特許請求の範囲】
【請求項１】
スライド移動可能なスラーダーと、このスライダーをスライド可能に保持するケースと、前記スライダーのスライド移動に伴って信号を出力可能な回路部品とを有するスライド型電気部品を備え、このスライド型電気部品を取り付け可能なホルダーを配設し、このホルダーには、前記スライダーのスライド方向に弾性付勢可能な弾性部材が支持され、前記スライド型電気部品を前記ホルダーに組み付け、少なくとも前記スライダーをスライド移動させると、前記スライダーが、前記弾性部材に弾性付勢されるようにしたことを特徴とするスライド型電気部品のセルフリターン機構。
【請求項２】
前記スライダーは、一方側が前記ケースにスライド自在に保持されると共に他方側がケース外部に突出する操作部を有し、この操作部に前記弾性部材が弾性付勢されるようにしたことを特徴とする請求項１記載のスライド型電気部品のセルフリターン機構。
【請求項３】
前記弾性部材は、腕部を有し、この腕部の一端部側が前記ホルダーに係止され、前記腕部の他端部側が前記スライダーの前記操作部に弾性付勢するようにしたことを特徴とする請求項２記載のスライド型電気部品のセルフリターン機構。
【請求項４】
前記弾性部材は、前記ホルダーに支持される前記腕部の一端部側に、コイル状に巻回した部分を基部とする捻りコイルバネからなり、前記基部の一方の巻回端部を延出させて前記腕部を形成すると共に前記基部の他方の巻回端部を延出させて係止部を形成し、前記捻りコイルバネの撓める前の状態において、前記腕部と前記係止部とに挟まれた狭持角度を鈍角にしたことを特徴とする請求項３記載のスライド型電気部品のセルフリターン機構。
【請求項５】
前記弾性部材は、前記基部を前記ホルダーに突出形成した突起部に挿通させて支持すると共に、前記係止部を前記ホルダー内部に形成したバネ係止部に係止するようにしたことを特徴とする請求項３または４記載のスライド型電気部品のセルフリターン機構。
【請求項６】
前記弾性部材は、前記スライダーのスライド方向の両側に一対配設され、一対の前記腕部の他端部側が互いに弾性付勢して前記スライダーの操作部を狭持するようにしたことをことを特徴とする請求項３乃至５のいずれか１項に記載のスライド型電気部品のセルフリターン機構。
【請求項７】
前記ホルダーには、前記基部を有する底壁と前記バネ係止部を有する前記底壁から直立する側壁とが形成され、前記バネ係止部近傍の前記側壁にテーパ状の凹部を形成し、この凹部に前記バネ係止部に組み付け途中の前記弾性部材の前記係止部が位置するようにしたことを特徴とする請求項５または６記載のスライド型電気部品のセルフリターン機構
【請求項８】
一対の前記弾性部材の前記腕部の前記他端部のそれぞれには、前記スライダーのスライド方向と直交する垂直方向に折り曲げられて、前記スライダーの前記操作部の弾接可能な弾接部が形成されていることを特徴とする請求項６または７記載のスライド型電気部品のセルフリターン機構。
【請求項９】
前記操作部を狭持した前記弾性部材のそれぞれの前記腕部間の前記ホルダーの前記底壁には、前記操作部のスライド方向の幅寸法と同寸法に形成されたバネ当接部が突出形成されていることを特徴とする請求項７または８記載のスライド型電気部品のセルフリターン機構。
【発明の詳細な説明】
【０００１】
【発明の属する技術分野】
本発明はゲーム機器等の電気機器に使用して好適なスライド型電気部品のスライダーを自動復帰させることができるスライド型電気部品のセルフリターン機構に関する。
【０００２】
【従来の技術】
従来のスライド型電気部品のセルフリターン機構は、図１４に示すように、ケース５１の空洞部５１ａ内には、空洞部５１ａの内部を図示左右方向にスライド自在のスライダー５２が配設されている。
また、空洞部５１ａ内には、スライダー５２のスライドをガイド可能な桟状のガイド部５１ｂ、５１ｃが形成され、このガイド部５１ｂ、５１ｂ間に、後述するコイルバネ５３を保持可能な寸法Ｌのバネ保持部５１ｄが形成されている。
【０００３】
また、スライダー５２には、ケース５１の開口部５１ｅから外部に突出する操作部５２ａが形成されると共に、ケース５１内部に基部５２ｂが形成され、この基部に摺動子等からなる可動側回路部品（図示せず）が取り付けられている。
また、基部５２ｂには、ケース５１の桟状のガイド部５１ｂが嵌合してスライド可能なガイド溝５２ｃが形成されると共にガイド溝５２ｃの略中央部に、バネ保持部５１ｄと略同じ寸法Ｌからなるバネ収納部５２ｄが形成されている。
【０００４】
また、ケース５１の空洞部５１ａ内には、スライダー５２に支持した摺動子等の可動側回路部品が摺接可能な固定接点部等からなる固定側回路部品（図示せず）が形成されている。
また、バネ保持部５１ｄには、コイルバネ５３が保持されており、このコイルバネ５３によってスライダー５２が中立のセンター位置に弾性付勢されるようになっている。
そして、バネ保持部５１ｄにコイルバネ５３を保持した状態で、スライダー５２の基部５２ｂを空洞部５１ａ内に位置させて組み付けることにより、コイルバネ５３に弾性付勢されたスライダー５２が中央に位置するようになっている。
【０００５】
このような従来のスライド型電気部品のセルフリターン機構の動作は、例えばスライダー５２の操作部５２ａに矢印Ａ方向の操作荷重を加えることにより、図１５に示すように、スライダー５２が図示右側のスライド範囲の終端位置までスライドする。
この時のコイルバネ５３は、図示右側の一端部５３ａが右側のガイド部５１ｂに当接して動きが規制されると共に図示左側の他端部５３ｂがスライダー５２のバネ収納部５２ｄの内側面に押圧されて圧縮するようになっている。
【０００６】
そして、可動側電気部品が固定側電気部品に摺接することにより、例えばスイッチ回路が切り替わって所定の電気信号が出力される。
また、操作部５２ａに加えていた操作荷重を取り去ると、スライダー５２は、図１５に示す右側の操作端部に位置した状態から、図１４に示す中立位置に自動復帰するようになっている。
また、スライダー５２に矢印Ａと逆方向の加重を加えてスライダー５２を左方向にスライド操作することによっても、スイッチ回路が切り換わって電気信号が出力されるようになっている。
このような従来のスライド型電気部品のセルフリターン機構は、セット側の事情により、コイルバネ５３をケース５１内部から取り出してセルフリターン機構無しのスライド型電気部品とすることもできるようになっている。
【０００７】
【特許文献１】
特開平８−１１５６３７号公報
【０００８】
【発明が解決しようとする課題】
しかし、前述したような従来のスライド型電気部品のセルフリターン機構は、コイルバネ５３をケース５１から取り出してセルフリターン機構無しのスライド型電気部品とするには、ケース５１を分解しなければならず、時間が掛かる問題があった。
また、ケース５１の大きさが、コイルバネ５２を収納可能な大きさに形成されているために、コイルバネ５３を取り出してセルフリターン機構無した場合、収納部５２ｄ等の無用の空間が存在するので薄型化できなかった。
【０００９】
また、空洞部５１ａ内には、回路部品およびコイルバネ５３が収納されているので、スライダー５２の摺動に伴って、コイルバネが変位し、それに伴って削れ粉等が発生し、回路部品の接点部分に削れ粉が付着して接触不良が発生するおそれがあった。
本発明は、前述したしたような課題を解決して、スライド型電気部品にセルフリターン機構を後付け可能なスライド型電気部品のセルフリターン機構を提供することを目的とする。
【００１０】
【課題を解決するための手段】
前記課題を解決するための第１の手段として本発明のスライド型電気部品のセルフリターン機構は、スライド移動可能なスラーダーと、このスライダーをスライド可能に保持するケースと、前記スライダーのスライド移動に伴って信号を出力可能な回路部品とを有するスライド型電気部品を備え、このスライド型電気部品を取り付け可能なホルダーを配設し、このホルダーには、前記スライダーのスライド方向に弾性付勢可能な弾性部材が支持され、前記スライド型電気部品を前記ホルダーに組み付け、少なくとも前記スライダーをスライド移動させると、前記スライダーが、前記弾性部材に弾性付勢されるようにしたことを特徴とする。
【００１１】
また、前記課題を解決するための第２の手段として、前記スライダーは、一方側が前記ケースにスライド自在に保持されると共に他方側がケース外部に突出する操作部を有し、この操作部に前記弾性部材が弾性付勢されるようにしたことを特徴とする。
【００１２】
また、前記課題を解決するための第３の手段として、前記弾性部材は、腕部を有し、この腕部の一端部側が前記ホルダーに係止され、前記腕部の他端部側が前記スライダーの前記操作部に弾性付勢するようにしたことを特徴とする。
【００１３】
また、前記課題を解決するための第４の手段として、前記弾性部材は、前記ホルダーに支持される前記腕部の一端部側に、コイル状に巻回した部分を基部とする捻りコイルバネからなり、前記基部の一方の巻回端部を延出させて前記腕部を形成すると共に前記基部の他方の巻回端部を延出させて係止部を形成し、前記捻りコイルバネの撓める前の状態において、前記腕部と前記係止部とに挟まれた狭持角度を鈍角にしたことを特徴とする。
【００１４】
また、前記課題を解決するための第５の手段として、前記弾性部材は、前記基部を前記ホルダーに突出形成した突起部に挿通させて支持すると共に、前記係止部を前記ホルダー内部に形成したバネ係止部に係止するようにしたことを特徴とする。
【００１５】
また、前記課題を解決するための第６の手段として、前記弾性部材は、前記スライダーのスライド方向の両側に一対配設され、一対の前記腕部の他端部側が互いに弾性付勢して前記スライダーの操作部を狭持するようにしたことをことを特徴とする。
【００１６】
また、前記課題を解決するための第７の手段として、前記ホルダーには、前記基部を有する底壁と前記バネ係止部を有する前記底壁から直立する側壁とが形成され、前記バネ係止部近傍の前記側壁にテーパ状の凹部を形成し、この凹部に前記バネ係止部に組み付け途中の前記弾性部材の前記係止部が位置するようにしたことを特徴とする。
【００１７】
また、前記課題を解決するための第８の手段として、一対の前記弾性部材の前記腕部の前記他端部のそれぞれには、前記スライダーのスライド方向と直交する垂直方向に折り曲げられて、前記スライダーの前記操作部の弾接可能な弾接部が形成されていることを特徴とする。
【００１８】
また、前記課題を解決するための第９の手段として、前記操作部を狭持した前記弾性部材のそれぞれの前記腕部間の前記ホルダーの前記底壁には、前記操作部のスライド方向の幅寸法と同寸法に形成されたバネ当接部が突出形成されていることを特徴とする。
【００１９】
【発明の実施の形態】
以下、本発明の入力装置を図１〜図５に基づいて説明する。図１は本発明の実施の形態を説明する分解斜視図であり、図２は本発明に係わるホルダーの平面図であり、図３は図２の３−３断面図であり、図４は図２の正面図であり、図５は図２の上面図であり、図６、図７は本発明に係わる弾性部材の斜視図であり、図８はホルダーに弾性部材を組み込んだ平面図であり、図９は本発明の実施の形態を説明する平面図であり、図１０は図９の要部断面図であり、図１１は図９の正面図であり、図１２は図９の下面図であり、図１３は図９の上面図である。
【００２０】
まず、本発明に係わるスライド型電気部品１は、例えば図１に示すように、抵抗体あるいは固体接点等からなる固定側回路部品（図示せず）が形成された横長状の基板２が配設されている。この基板２からは、固定側回路部品に接続された金属板からなる複数の端子部２ａが外向きにハトメカシメ（図示せず）等で取り付けされている。
また、基板２の上部には、金属板等からなる横長状のケース３が取り付けられて、固定側回路部品が形成された部分の基板２の上面側が覆われている。
前記ケース３の図示前面側の前側板３ａからは、図示左右の端部寄りの位置に取付脚部３ｂが図示下向きに突出形成されている。この取付脚部３ｂの根元部分には、基板２をケース３にカシメ付け可能なカシメ突起３ｃが、取付脚部３ｂの突出方向と直交する方向に形成されている。
また、前側板３ａと対向する側の後側板３ｄにも、図１２の下面図に示すように、中央部に取付脚部３ｅが形成され、この取付脚部３ｅの左右の後側板３ｄにカシメ突起３ｆ、３ｆが形成されている。
【００２１】
また、ケース３の内部には、横長方向にスライド自在に保持されたスライダー４が配設され、このスライダー４の一部である操作部４ａが、図１に示すように、ケース３の前側板３ａに形成した切り欠き部３ｇから外側に位置している。
即ち、スライダー４は、一方側に形成したスライド基部（図示せず）がケース２内部に位置すると共に、他方側に形成した操作部４ａがケース３の前側板３ａから図示手前側に突出している。
そして、操作部４ａに矢印Ｂ、Ｃ方向のスライド荷重を加えることにより、スライダー４がスライド移動可能になっている。
【００２２】
前記操作部４ａは、棒状に形成されて、ケース３内部に位置するスライド基部に一体化されている。前記ケース３内部に位置するスライド基部には、摺動子等の可動側回路部品（図示せず）が固着され、この可動側回路部品が基板２に形成した固定側回路部品に摺接可能になっている。
そして、基板２上にスラーダー４を載置し、この上からケース３をかぶせ、それぞれのカシメ突起３ｃ、３ｆを、図１２に示すように互いに対向する内側に折り曲げて、スライド型電気部品１が組み立てられている。
【００２３】
また、スライド型電気部品のセルフリターン機構５は、スライド型電気部品１とは別体に形成されて、スライド型電気部品１に取付可能なホルダー６が配設されている。このホルダー６は、樹脂材料からなり、図３〜図５に示すように、外形が略矩形状に形成されている。
前記ホルダー６の下部側には、板状の底壁６ａが形成され、この底壁６ａの図１に示す手前側左右のコーナ部に、スライド型電気部品１の基板２を載置可能な載置部６ｂ、６ｂが所定高さで形成されている。
また、底壁６ａの奥側には、載置部６ｂ、６ｂより高い側壁６ｃが略Ｌ字状に形成されている。
【００２４】
また、底壁６ａの中央部で底壁６ａの手前側寄りから奥側にかけて、段差状の仕切壁６ｄが形成され、この仕切壁６ｄは、手前側に高さが低いバネ当接部６ｅが形成されて段差状になっており、このバネ当接部６ｅに後述する弾性部材８、９の腕部８ｂ、９ｂが当接して弾接可能になっている。
また、仕切壁６ｄは、段差状のバネ当接部６ｅとの境目部分に所定の直径寸法からなり、ケース３の取付脚部３ｅが圧入可能な位置決め孔６ｆが貫通形成されている。
また、底壁６ａの奥側の側壁６ｃは、仕切壁６ｄが形成された部分の左右が、テーパ状に切り欠き形成されて凹部６ｇ、６ｇが形成されている。
【００２５】
また、側壁６ｃおよび仕切壁６ｄ近傍の底壁６ａには、円柱状で側壁６ｃと略同じ高さに突出する一対の突起部７、７が形成されている。
また、側壁６ｃには。、凹部６ｇの外側で突起部７近傍に、鈎状のバネ係止部６ｈが底壁６ａと平行方向に突出形成されている。また、底壁６ａの手前側のコーナ部に形成した載置部６ｂ、６ｂの内周部に接して、略矩形状の第１貫通孔６ｊ、６ｊが形成され、底壁６ａの奥側のコーナ部に形成した側壁６ｃの内側には、略Ｌ字状の第２貫通孔６ｋ、６ｋが形成されている。
【００２６】
また、ホルダー６の突起部７、７には一対の弾性部材である、図６、図７に示すような、捻りコイルバネからなる第１第２の弾性部材８、９が挿通されて装着可能になっている。
そして、図１に示す仕切壁６ｄの左側の突起部７には、第１の弾性部材８が装着されており、この第１の弾性部材８は、突起部７に挿通可能な基部８ａが、図６に示すように、コイル状に巻回形成されている。
そして、基部８ａの一方の巻回端部を図示手前側に延出させて線状の腕部８ｂが形成されている。また、腕部８ｂの先端部は、スライダー４のスライド方向と直交する垂直方向に折り曲げられて、スライダー４の操作部４ａに当接可能な弾接部８ｃが形成されている。
【００２７】
また、第１の弾性部材８には、基部８ａに形成された他方の巻回端部を図示奥側に延出させて係止部８ｄが形成され、この係止部８ｄは、腕部８ｂより短く形成されてホルダー６のバネ係止部６ｈに係止可能な直線状に形成されている。
そして、第１の弾性部材８は、田和編める前の状態においては、腕部８ｂと係止部８ｄとに挟まれた狭持角度αが鈍角に形成されている。
【００２８】
また、図１に示す仕切壁６ｄの右側の突起部７には、第２の弾性部材９が装着されており、この第２の弾性部材９は、図７に示すように、コイル状に巻回した基部９ａと、この基部９ａの一方の巻回端部を図示手前側に延出して腕部９ｂが形成されている。また、腕部９ｂの先端部は、スライダー４のスライド方向と直交する垂直方向に折り曲げられて、スライダー４の操作部４ａに当接可能な弾接部９ｃが形成されている。
また、基部９ａに形成された他方の巻回端部を図示奥側に延出させて係止部９ｄが形成されて、撓める前の状態においては、腕部９ｂと係止部９ｄとに挟まれた狭持角度αが鈍角に形成されている。
【００２９】
即ち、第１、第２の弾性部材８、９は、線状の腕部８ｂ、９ｂを有し、この腕部８ｂ、９ｂの一端部側に形成した基部８ａ、９ａがホルダー６の係止部７、７に支持されると共に、腕部８ｂ、９ｂの他端部側を折り曲げ形成した弾接部８ｃ、９ｃが、スライダー４の操作部４ａを挟んで配置されて、スライダー４を移動させると、操作部４ａに弾性付勢するようになっている。
【００３０】
このような構成のセルフリターン機構５の組立およびスライド型電気部品にセルフリターン機構５を一体化する組立を説明する。まず、セルフリターン機構５の組立は、仕切壁６ｄの左右に突出形成した突起部７に、第１、第２の弾性部材８、９を支持するには、例えば、仕切壁６ｄの左側の突起部７に、第１の弾性部材８の基部８ａを挿通させると、基部８ａの下方側の一方の巻回端部から延びる腕部８ｂが底壁６ａ上に位置すると共に、前記腕部８ｂがバネ当接部６ｅの側面に当接する。
この時、弾性部材８の係止部８ｄは、図８の２点鎖線に示すように、ホルダー６の側壁６ｃから外側に位置して、テーパ状の凹部６ｇに沈み込んだ状態になっている。
【００３１】
この状態の係止部８ｄに矢印Ｄ方向の荷重を加えると、係止部８ｄは、凹部６ｇのテーパ面上を滑って、側壁６ｃの上面およびバネ係止部６ｈから、バネ係止部６ｈに係合して係止される。
また、第１の弾性部材８と同様の方法で、仕切壁６ｄの右側の突起部７に、第２の弾性部材９の基部９ａを挿通し、図８の２点鎖線に示す係止部９ｄに、矢印Ｅ方向の荷重を加えて、係止部９ｄをバネ係止部６ｈに係合させて係止することにより、ホルダー６に一対の弾性部材８、９が組み付けられて、セルフリターン機構５が容易に組み立てられている。
尚、スライド型電気部品の組立方法については、周知のものであり、説明は省略する。
【００３２】
このように組み立てられたセルフリターン機構５にスライド型電気部品１を取り付けて組立るは、まず、図１２の下面図に示すように、ケース３の後側板３ｃに形成した取付脚部３ｅを位置決め孔６ｆに、また、前側板３ａの取付脚部３ｂ、３ｂを第１貫通孔６ｊ、６ｊにそれぞれ圧入することにより、スライド型電気部品１側の基板２が、ホルダー６の載置部６ｂに載置されて、セルフリターン機構５にスライド型電気部品１が組み付けられる。
そして、互いに対向する第１、第２の弾性部材８、９の弾接部８ｃ、９ｃ間にスライダー４の操作部４ａが位置する。この時、バネ当接部６ｅの幅寸法が操作部４ａの幅寸法と同じに形成されているので、バネ当接部６ｅ上に位置する操作部４ａが、中立のセンター位置である初期位置に位置するようになっている。
【００３３】
このように組み立てられた本発明のスライド型電気部品のセルフリターン機構５の操作は、スライド部材４の操作部４ａを矢印Ｂ、またはＣ方向にスライドさせると、スライダー４側の可動側回路部品（図示せず）が基板２上を摺動する。
そして、スライダー４が中立のセンター位置から図示左右のスライド範囲の終端位置までスライドさせることにより、基板２に形成した固定側回路部品が固定接点からなるスイッチ回路の場合は、スイッチ回路が切り換わって所定の電気信号が出力されるようになている。
【００３４】
前記スライダー４を中立のセンター位置から左右のスライド範囲の終端位置までスライドさせることにより、第１、または第２の弾性部材８、９の上部８ｂ、９ｂが、突起部７、７に支持された基部８ａ、９ａを支点として、図８の２点鎖線で示すように、角度βで弾性変形するようになっている。
そして、スライダー４に加えていた矢印Ａ、Ｂ方向のスライド荷重を取り去ると、それぞれの弾性部材８、９の弾性力で、スライダー４は中立のセンター位置に自動復帰する。
この時、第１、第２の弾性部材８、９の弾性力にバラツキがあったとしても、それぞれの腕部８ｂ、８ｂは、バネ当接部６ｅに当接して、それ以上の動きが規制されるので、確実に中立のセンター位置である初期位置に、スライダー４を自動復帰させることができる。
【００３５】
なお、本実施例のスライド型電気部品１のセルフリターン機構５は、前記第１、第２の弾性部材が、腕部８ｂ、９ｂが底壁６ａと接し、係止部８ｄ、９ｄが底壁６ａから基部８ａ、９ａの高さの分離間するようにしてホルダー６に配置され、係止部８ｄ、９ｄ上にスライド型電気部品１が載置され、また該スライド型電気部品１の平面方向で並べた位置に基部８ａ、９ａが配置される構成であるからセルフリターン機構付きスライド型電気部品の薄型化を図る事ができる。
【００３６】
また、本実施例においては第１、第２の弾性部材８、９を捻りコイルバネで形成し、基部８ａ、９ａが突起部７に挿通され、その両側に位置する基部８ｂ、９ｂ及び係止部８ｄ、９ｄが、それぞれホルダー６に撓めて弾接して保持される。
更には、一端部に位置する係止部８ｄ、９ｄはバネ係止部６ｈによって底壁６ａと反対方向への移動が規制されている。また基部８ａ、９ａは円筒状に形成され円筒状の突起部７に挿通されており、高さ方向の所定の範囲でガイドされているので、弾性部材８、９の姿勢がずれにくいようになっている。従って確実に弾性部材８、９をホルダに保持可能であり、セルフリターン機構５を確実にユニット化できる。
また、判別が簡単にできる。
【００３７】
また、本発明のスライド型電気部品１のセルフリターン機構５は、スライド型電気部品１とセルフリターン機構５とを事前に別々に組み立てておき、スライド型電気部品１を使用する装置側の事情により、セルフリターン機構５が不要な場合は、スライド型電気部品１だけを出荷することができる。
この時のスライド型電気部品１は、セルフリターン機構５がないので、薄型にすることができる。
また、セルフリターン機構５付きスライド型電気部品１の要求があった場合は、スライド型電気部品１にセルフリターン機構５を圧入するだけで組立てができ、組立が容易であると共に、受注から出荷までのリードタイムを短縮することができる。
更に、従来の技術で出来なかった、外観においてセルフリターン付きと無しとの判別を、容易に行うことが出来る。
【００３８】
尚、本発明の実施の形態の説明では、弾性部材を捻りコイルバネで説明したが、弾性部材は、板バネでも良く、板バネの一端部側をホルダー６内部に支持すると共に他端部側をスライダー４の操作部４ａに弾性付勢するようにしたものでも良い。
また、本発明の実施の形態では、一対の弾性部材８、９を配設したもので説明したが、第１、または第２の弾性部材８、９のいずれか一方だけを用いて、スライダ４をいずれか一方のスライド範囲の終端までスライドさせるようにしたものでも良い。
また、スライダー４の操作部４ａは、ケース３から直線状に突出させなくて、クランク状に折り曲げ、弾性部材８、９の直線状の腕部８ｂ、９ｂに弾接させるようにしたものでも良い。このようなセルフリターン機構は、弾性部材８、９の腕部８ｂ、９ｂ先端を折り曲げて弾接部８ｃ、９ｃを形成する必要がないので製造が容易である。
【００３９】
なお、上記実施例においては取付脚部３ｅ、３ｂ、３ｂを位置決め孔６ｆ、第１貫通孔に圧入することによって、セルフリターン機構５にスライド型電気部品１を組みつけているが、例えば取付脚部３ｂ、３ｂにスナップを設けてセルフリターン機構５スライド型電気部品を取りつける、あるいはホルダー６にスライド型電気部品１を保持するスナップを設ける等しても良く、要は簡単に取り付け可能な取り付け部分がスライド型電気部品あるいはホルダーに設けてあれば良い。
また、上記実施例においては、バネ当接部６ｅの幅寸法が、弾性部材８、９が当接する操作部６ａの幅寸法と同じに形成しているが、多少であれば狭い、あるいは広く形成してあっても良い。
またバネ当接部６ｅの、基部８ａ、９ａに近い部分のみが、腕部８ｂ、９ｂ接するようにすれば、腕部の速度が小さい部分で移動を規制できるので消音構造とすることができる。
【００４０】
【発明の効果】
以上述べたように本発明は、スライド型電気部品をホルダーに組み付けることにより、スライダーが、弾性部材に弾性付勢されるようにしたのでスライド型電気部品とセルフリターン機構とを別々に組立てることができ、セルフリターン機構無しスライド型電気部品の受注に対して短納期で対応することができる。
また、セルフリターン機構無しスライド型電気部品を薄型化することができる。
【００４１】
また、スライダーは、一方側がケースにスライド自在に保持されると共に他方側がケース外部に突出する操作部を有し、この操作部に弾性部材が弾性付勢されるようにしたので、スライド操作されたスライダーを確実に初期位置に自動復帰させて、内部に配設した回路部品を操作することができる。
【００４２】
また、弾性部材は、腕部を有し、この腕部の一端部側がホルダーに係止され、腕部の他端部側がスライダーの操作部に弾性付勢するようにしたので、スライド操作されたスライダーを確実に初期位置に自動復帰させることができる。
【００４３】
また、弾性部材は、コイル状に巻回した基部の一方の巻回端部を延出させて腕部を形成すると共に基部の他方の巻回端部を延出させて係止部を形成し、捻りコイルバネの撓める前の状態において、腕部と係止部とに挟まれた狭持角度を鈍角にしたので、弾性部材をスライダーに組み付けることにより、腕部と係止部との間の狭持角度が狭くなる。そのために、腕部の他端部側でスライダーの操作部を確実に弾性付勢することができる。
【００４４】
また、弾性部材は、基部をホルダーに突出形成した突起部に挿通させて支持すると共に、係止部をホルダー内部に形成したバネ係止部に係止するようにしたので、弾性部材を確実にホルダーに支持してスライダーに弾性付勢することができる。
【００４５】
また、弾性部材は、スライダーのスライド方向の両側に一対配設され、一対の腕部の他端部側が互いに弾性付勢してスライダーの操作部を狭持するようにしたので、一対の弾性部材によりスライダーを確実に弾性付勢して、中立のセンター位置に自動復帰させることができる。
【００４６】
また、ホルダーには、バネ係止部近傍の側壁にテーパ状の凹部を形成され、この凹部にバネ係止部に組み付け途中の弾性部材の係止部が位置するようにしたので、突起部に基部を挿通させた状態で、弾性部材の係止部をホルダーのバネ係止部に係合させることができ、弾性部材のホルダーの組み付ける作業性が良い。
【００４７】
また、一対の弾性部材の腕部の他端部のそれぞれには、スライダーのスライド方向と直交する垂直方向に折り曲げられて、前記スライダーの前記操作部に弾接可能な弾接部が形成されているので、弾性部材を確実にスライダーに弾性付勢して、高精度に中立のセンター位置に自動復帰させることができる。
【００４８】
また、操作部を狭持した弾性部材のそれぞれの腕部間のホルダーの底壁には、操作部のスライド方向の幅寸法と同寸法に形成されたバネ当接部が突出形成されているので、スライダーを中立位置まで自動復帰させた際に弾性部材はバネ当接部に当接してそれ以上の動きを規制することができる。
そのために、スライダーを高精度に中立のセンター位置に自動復帰させることができる。
【図面の簡単な説明】
【図１】本発明の実施の形態を説明する分解斜視図である。
【図２】本発明に係わるホルダーの平面図である。
【図３】図２の３−３断面図である。
【図４】図２の正面図である。
【図５】図２の上面図である。
【図６】本発明に係わる弾性部材の斜視図である。
【図７】本発明に係わる弾性部材の斜視図である。
【図８】本発明に係わるホルダーに弾性部材を組み込んだ平面図である。
【図９】本発明の実施の形態を説明する平面図である。
【図１０】図９の要部断面図である。
【図１１】図９の正面図である。
【図１２】図９の下面図である。
【図１３】図９の上面図である。
【図１４】従来のスライド型電気部品のセルフリターン機構を説明する要部断面図である。
【図１５】従来のスライド型電気部品のセルフリターン機構を説明する要部断面図である。
【符号の説明】
１  スライド型電気部品
２  基板
３  ケース
３ａ  前側板
３ｂ  取付脚部
３ｃ  カシメ突起
４  スライダー
４ａ  操作部
５  本発明のスライド型電気部品のセルフリターン機構
６  ホルダー
６ａ  底壁
６ｂ  載置部
６ｃ  側壁
６ｄ  仕切壁
６ｅ  バネ当接部
６ｈ  バネ係止部
７  突起部
８  第１の弾性部材
８ａ  基部
８ｂ  腕部
８ｃ  弾接部
８ｄ  係止部
９  第２の弾性部材
【図１】
2004335527.tif 000003
【図２】
2004335527.tif 000004
【図３】
2004335527.tif 000005
【図４】
2004335527.tif 000006
【図５】
2004335527.tif 000007
【図６】
2004335527.tif 000008
【図７】
2004335527.tif 000009
【図８】
2004335527.tif 000010
【図９】
2004335527.tif 000011
【図１０】
2004335527.tif 000012
【図１１】
2004335527.tif 000013
【図１２】
2004335527.tif 000014
【図１３】
2004335527.tif 000015
【図１４】
2004335527.tif 000016
【図１５】
2004335527.tif 000017